(57)【要約】【課題】或るチャンネルのオーディオ信号を検聴した後に、そのチャンネルのレベル操作するという作業の操作性を向上する。【解決手段】オペレータが所望のｃｈのフェーダつまみ２１ｃをＴ２よりも下げると抗力がつまみに対する抗力が発生する(S15)。オペレータが抗力に対抗して更につまみ２１ｃを押し下げてＴ１を越えると、当該ｃｈがＣＵＥオンに設定され(S12)、当該ｃｈのオーディオ信号（プレフェーダ信号）をＣＵＥ信号として検聴できる。その後、当該フェーダつまみ２１ｃを上向きに操作するとＣＵＥが解除され(S22)、つまみ２１ｃの位置に応じてｃｈの音量レベルを制御できる(S20)。【選択図】図７
2011199684.tif 000002
【特許請求の範囲】
【請求項１】
それぞれ、供給されるオーディオ信号のレベルを、レベルパラメータに基づいて制御し、レベルが制御されたオーディオ信号を出力する複数のチャンネルと、
前記チャンネルが１つずつ割り当てられ、第１端から第２端まで一次元にスライド操作可能であり、且つ、駆動信号に基づいて駆動可能な複数のフェーダ操作子と、
各フェーダ操作子の操作位置に応じて、当該フェーダ操作子が割り当てられたチャンネルの前記レベルパラメータを、該操作位置が第１端に近づくほど大きく、また、第２端に近づくほど小さくなるよう変更するレベル変更手段と、
前記複数のチャンネルから出力される複数のオーディオ信号をミキシングして、ミキシング結果のオーディオ信号を出力する混合バスと、
混合バスから出力されるオーディオ信号を外部に出力するメイン出力と、
検聴信号として指定されたオーディオ信号を出力するモニタ出力と、
各フェーダ操作子が、前記第２端の近傍に設けられた所定範囲内において前記第２端に向けて操作されたとき、前記駆動信号により当該フェーダ操作子を駆動することにより、該操作に対する抗力を発生する抗力発生手段と、
各フェーダ操作子が、前記所定範囲を越えて前記第２端に向けて操作されたとき、当該フェーダ操作子に割り当てられたチャンネルのオーディオ信号を前記検聴信号として指定する第１制御手段と、
各フェーダ操作子が、前記所定範囲を越えて前記第１端に向けて操作されたとき、当該フェーダ操作子に割り当てられたチャンネルのオーディオ信号の前記検聴信号としての指定を解除する第２制御手段
を備えることを特徴とするデジタルオーディオミキサ。
【請求項２】
前記レベル変更手段は、前記レベルパラメータを、前記所定範囲よりも前記第１端に近い範囲で変化させ、前記所定範囲から前記第２端までの範囲でゼロレベルに保持することを特徴とする請求項１記載のデジタルオーディオミキサ。
【請求項３】
前記チャンネルが１つずつ割り当てられた複数の検聴スイッチと、
各検聴スイッチの操作に応じて、当該スイッチに割り当てられたチャンネルのオーディオ信号が前記検聴信号として指定されていなければ、当該チャンネルのオーディオ信号を前記検聴信号として指定し、指定されていれば、当該チャンネルのオーディオ信号の前記検聴信号としての指定を解除する第３制御手段
を更に備えることを特徴とする請求項１記載のデジタルオーディオミキサ。
【請求項４】
それぞれ、供給されるオーディオ信号のレベルを、レベルが制御されたオーディオ信号を出力する複数の入力チャンネルと、
各フェーダ操作子の操作位置に応じて、当該フェーダ操作子が割り当てられたチャンネルの前記レベルパラメータを、該操作位置が第１端に近づくほど大きく、また、第２端に近づくほど小さくなるよう変更するレベル変更手段と、
それぞれ、前記複数のチャンネルから出力される複数のオーディオ信号をミキシングして、ミキシング結果のオーディオ信号を出力する複数の混合バスと、
前記複数の混合バスに対応する複数の出力チャンネルであって、それぞれ、対応する混合バスから供給されるオーディオ信号のレベルを、レベルパラメータに基づいて制御し、レベルが制御されたオーディオ信号を出力する複数の出力チャンネルと、
前記出力チャンネルが１つずつ割り当てられ、第１端から第２端まで一次元にスライド操作可能であり、且つ、駆動信号に基づいて駆動可能な複数のフェーダ操作子と、
前記複数の出力チャンネルから出力されるオーディオ信号を外部に出力するメイン出力と、
検聴信号として指定されたオーディオ信号を出力するモニタ出力と、
各フェーダ操作子が、前記第２端の近傍に設けられた所定範囲内において前記第２端に向けて操作されたとき、前記駆動信号により当該フェーダ操作子を駆動することにより、該操作に対する抗力を発生する抗力発生手段と、
各フェーダ操作子が、前記所定範囲を越えて前記第２端に向けて操作されたとき、当該フェーダ操作子に割り当てられた出力チャンネルのオーディオ信号を前記検聴信号として指定する第１制御手段と、
各フェーダ操作子が、前記所定範囲を越えて前記第１端に向けて操作されたとき、当該フェーダ操作子に割り当てられた出力チャンネルのオーディオ信号の前記検聴信号としての指定を解除する第２制御手段
を備えることを特徴とするデジタルオーディオミキサ。
【請求項５】
それぞれ、供給されるオーディオ信号のレベルを、レベルパラメータに基づいて制御し、レベルが制御されたオーディオ信号を出力する複数のチャンネルと、
前記チャンネルが１つずつ割り当てられ、第１端から第２端まで一次元にスライド操作可能であり、且つ、駆動信号に基づいて駆動可能な複数のフェーダ操作子と、
各フェーダ操作子の操作位置に応じて、当該フェーダ操作子が割り当てられたチャンネルの前記レベルパラメータを、該操作位置が第１端に近づくほど大きく、また、第２端に近づくほど小さくなるよう変更するレベル変更手段と、
前記複数のチャンネルから出力される複数のオーディオ信号をミキシングして、ミキシング結果のオーディオ信号を出力する混合バスと、
混合バスから出力されるオーディオ信号を外部に出力するメイン出力と、
前記チャンネルが１つずつ割り当てられた複数の検聴スイッチと、
各検聴スイッチの操作に応じて、当該スイッチに割り当てられたチャンネルのオーディオ信号が前記検聴信号として指定されていなければ、該チャンネルのオーディオ信号を前記検聴信号として指定し、指定されていれば、該チャンネルのオーディオ信号の前記検聴信号としての指定を解除する第３制御手段と、
検聴信号として指定されたオーディオ信号を出力するモニタ出力と、
第１モードと第２モードの何れか１を選択するモード選択手段と
を備えており、
前記第１モードが選択されているときは、前記レベル変更手段が、前記レベルパラメータを、前記第１端から前記第２端までの全範囲で、最大レベルからゼロレベルまで変化させ、
前記第２モードが選択されているときは、更に
各フェーダ操作子が、前記第２端の近傍に設けられた所定範囲内において前記第２端に向けて操作されたとき、前記駆動信号により当該フェーダ操作子を駆動することにより、該操作に対する抗力を発生する抗力発生手段と、
各フェーダ操作子が、前記所定範囲を越えて前記第２端に向けて操作されたとき、当該フェーダ操作子に割り当てられたチャンネルのオーディオ信号を前記検聴信号として指定する第１制御手段と、
各フェーダ操作子が、前記所定範囲を越えて前記第１端に向けて操作されたとき、当該フェーダ操作子に割り当てられたチャンネルのオーディオ信号の前記検聴信号としての指定を解除する第２制御手段
を備え、且つ、前記レベル変更手段が、前記レベルパラメータを、前記所定範囲よりも前記第１端に近い範囲で変化させ、前記所定範囲から前記第２端までの範囲でゼロレベルに保持することを特徴とするデジタルオーディオミキサ。
【発明の詳細な説明】
【技術分野】
【０００１】
この発明は、入力チャンネルあるいは出力チャンネルのオーディオ信号を検聴することのできるオーディオミキサに関する。
【背景技術】
【０００２】
従来のデジタルオーディオミキサにおいて、操作パネルに複数のチャンネルストリップが設けられており、オペレータは、各チャンネルストリップのフェーダ操作子を用いて、そのｃｈストリップに割り当てられた入力チャンネル又は出力チャンネルのオーディオ信号の音量レベルを制御できた。
【０００３】
かかるデジタルオーディオミキサにおいて、任意の入力チャンネル或いは出力チャンネルのオーディオ信号を検聴するためのＣＵＥ（キュー）機能を有するものがあった。ＣＵＥ機能は、オペレータがチャンネルストリップのＣＵＥスイッチをオンすることにより行われる。デジタルミキサは、ＣＵＥスイッチの操作に応じて、そのｃｈストリップに割り当てられたチャンネルのオーディオ信号をＣＵＥバスに供給し、ＣＵＥバスに供給されたオーディオ信号を、メイン出力とは別系統のＣＵＥ信号（キュー信号）としてオペレータ向けのモニタ出力から出力できた（例えば下記特許文献１を参照）。ＣＵＥ機能によるＣＵＥ信号はメイン出力とは別系統なので、ミキサのメイン出力はＣＵＥ機能の影響を受けない。
【先行技術文献】
【特許文献】
【０００４】
【特許文献１】特開２００５−２５２３２８号公報
【発明の概要】
【発明が解決しようとする課題】
【０００５】
デジタルミキサにおいて、オペレータは、或るｃｈの信号について、メイン出力に当該ｃｈの信号を立ち上げる前（当該ｃｈの音量レベルを上げる）に、音量レベルをゼロ（−∞ｄＢ）に調整した状態（つまり、フェーダ操作子を下端位置に位置させた状態で）、そのｃｈのオーディオ信号をＣＵＥ機能により検聴して信号内容を確認した後に、フェーダ操作子を上方向に操作して、当該ｃｈの音量レベルを上げる、という作業を行うことが多い。この作業において、オペレータは、そのｃｈのＣＵＥスイッチの操作と、フェーダ操作子のスライド操作という２つの操作子の操作を行う必要があり、その手間が作業効率を損ねていた。
【０００６】
本発明は、上記の点に鑑みてなされたもので、或るチャンネルのオーディオ信号を検聴した後に、そのチャンネルのレベル操作するという作業の操作性を向上したデジタルオーディオミキサを提供することを目的とする。
【課題を解決するための手段】
【０００７】
本発明は、それぞれ、供給されるオーディオ信号のレベルを、レベルパラメータに基づいて制御し、レベルが制御されたオーディオ信号を出力する複数のチャンネルと、前記チャンネルが１つずつ割り当てられ、第１端から第２端まで一次元にスライド操作可能であり、且つ、駆動信号に基づいて駆動可能な複数のフェーダ操作子と、各フェーダ操作子の操作位置に応じて、当該フェーダ操作子が割り当てられたチャンネルの前記レベルパラメータを、該操作位置が第１端に近づくほど大きく、また、第２端に近づくほど小さくなるよう変更するレベル変更手段と、前記複数のチャンネルから出力される複数のオーディオ信号をミキシングして、ミキシング結果のオーディオ信号を出力する混合バスと、混合バスから出力されるオーディオ信号を外部に出力するメイン出力と、検聴信号として指定されたオーディオ信号を出力するモニタ出力と、各フェーダ操作子が、前記第２端の近傍に設けられた所定範囲内において前記第２端に向けて操作されたとき、前記駆動信号により当該フェーダ操作子を駆動することにより、該操作に対する抗力を発生する抗力発生手段と、各フェーダ操作子が、前記所定範囲を越えて前記第２端に向けて操作されたとき、当該フェーダ操作子に割り当てられたチャンネルのオーディオ信号を前記検聴信号として指定する第１制御手段と、各フェーダ操作子が、前記所定範囲を越えて前記第１端に向けて操作されたとき、当該フェーダ操作子に割り当てられたチャンネルのオーディオ信号の前記検聴信号としての指定を解除する第２制御手段を備えることを特徴とするデジタルオーディオミキサである。
【発明の効果】
【０００８】
本発明によれば、オペレータが所望のｃｈのフェーダ操作子を抗力に対抗して下方向へ操作したとき、そのｃｈのオーディオ信号が検聴信号として出力され、その後、そのフェーダ操作子を向きに操作することで、そのｃｈの検聴信号の出力を停止して、且つ、当該フェーダ操作子の位置に応じて当該ｃｈの音量レベルを制御できるので、或るｃｈの検聴信号を検聴した後に、そのｃｈの信号のメイン出力に係る音量レベル調整を作業開始するという一連の操作を、１つのフェーダ操作子の上下操作だけで手際よく効率的に行うことができるようになるという優れた効果を奏する。
【図面の簡単な説明】
【０００９】
【図１】本発明のデジタルオーディオミキサの実施例であるデジタルミキサの構成を示すブロック図。
【図２】図１のデジタルミキサにおけるパネルの外観の概略を示す図。
【図３】図１のデジタルミキサにおける信号処理構成を示す機能ブロック図。
【図４】図３の入力チャンネル部の１チャンネル分の構成例を示す図。
【図５】図３の出力チャンネル部の１チャンネル分の構成例を示す図。
【図６】ＣＵＥ（ｉ）スイッチの操作イベント処理のフローチャート。
【図７】フェーダ（ｉ）の操作イベント処理のフローチャート。
【図８】（ａ）フェーダ可動範囲に対する所定位置Ｔ１、Ｔ２の設定例、（ｂ）はフェーダつまみ位置変化とＦＣＳの変化を説明する図。
【図９】ＣＵＥオン処理のフローチャート
【図１０】ＣＵＥオフ処理のフローチャート
【発明を実施するための最良の形態】
【００１０】
以下、本発明のデジタルオーディオミキサの実施例であるデジタルミキサについて、添付図面を参照して説明する。
【００１１】
図１は、デジタルミキサの構成例を示すブロック図である。デジタルミキサ１において、デジタルミキサ１の全体の動作を制御すると共に、ミキシング用の操作子の操作に応じて制御信号を生成しているＣＰＵ（Central Processing Unit）１０と、ＣＰＵ１０が実行するミキシング制御プログラム等の動作ソフトウェアが格納されている書き換え可能な不揮発性のフラッシュメモリ１１と、ＣＰＵ１０のワークエリアや各種データ等が記憶されるＲＡＭ（Random Access Memory）１２を備えている。フラッシュメモリ１１には、ミキサ１の動作を制御する全ての制御データ（パラメータの値）を記憶したカレントメモリが設けられている。また、ミキサ１は、デジタルレコーダ等のその他の周辺機器を、入出力インタフェースであるその他Ｉ／Ｏ１３を介して接続できる。図１に示す各部はバス１９を介して接続されている。
【００１２】
デジタルミキサ１の全ての入力と全ての出力は波形Ｉ／Ｏ（波形データインタフェース）１４で行われる。この波形Ｉ／Ｏ１４は、入力用として外部から入力するアナログ信号をデジタル信号に変換するＡＤ変換器を備えたアナログ入力ポートや、外部からデジタル信号を入力するデジタル入力ポートを複数備えており、出力用としてデジタル信号をアナログ信号に変換するＤＡ変換器を備えたアナログ出力ポートやデジタル信号を出力するデジタル出力ポートを複数備えている。
【００１３】
また、波形Ｉ／Ｏ１４には、モニタ出力用ポートも備えられており、このモニタ出力用ポートの出力信号が操作者用モニタ２０に供給される。オペレータルームのオペレータは、ミキサ１のメイン出力を変化させずに、操作者用モニタ２０の出力信号を検聴できる。
【００１４】
信号処理部（ＤＳＰ（Digital Signal Processing）部）１５は、ＣＰＵ１０の制御の元で、カレントメモリの記憶内容に基づきマイクロプログラムを実行し、波形Ｉ／Ｏ１４から入力されたオーディオ信号に対するミキシング処理やエフェクト処理などを行い、処理結果の出力信号を波形Ｉ／Ｏ１４へ出力する。ＤＳＰ部１５は、１つのＤＳＰ（Digital Signal Processor）で構成してもよいし、バスで相互接続された複数のＤＳＰで構成し、複数のＤＳＰで信号処理を分散処理するようにしてもよい。
【００１５】
表示器１６、電動フェーダ１７及び操作子１８は、ミキサ１の操作パネル上に設けられたユーザインターフェースである。表示器１６は、各種設定画面等を表示する液晶表示装置等からなるディスプレイである。電動フェーダ１７及び操作子１８は、操作パネル上に配置された操作子群である。電動フェーダ１７は、つまみ部駆動用モータが内蔵されたフェーダ型操作子であり、オペレータが手動操作できるとともに、ＣＰＵ１０から与えられる駆動制御信号に基づいて操作位置が自動制御される。ＣＵＰ１０は、表示器１６、電動フェーダ１７及び操作子１８の操作を受けて、パラメータの値を調整する。本明細書においてパラメータの値を調整する（変更する）とは、カレントメモリに記憶されている当該操作に該当するパラメータの値を、当該操作に応じた値へ変更し、変更後の値をＤＳＰ部１５や表示器１６へ反映することである。
【００１６】
図２は、図１のデジタルミキサ１における操作パネルの外観の概略を示す。表示器１６の下側には、１２チャンネル分のチャンネルストリップ２１が設けられている。各ｃｈストリップ２１は固有のｃｈストリップ番号ｉ（ｉ＝１〜１２）を有する。各ｃｈストリップ２１には、そのｃｈストリップ２１に割り当てられたチャンネルを選択する選択スイッチ（ＳＥＬ）２１ａと、割り当てられたチャンネルのオン・オフを切り替えるチャンネルスイッチ２１ｂと、割り当てられたチャンネルの信号のレベルを制御する電動フェーダ１７（フェーダつまみ２１ｃ）と、そのチャンネルのＣＵＥオン・オフを切り替えるＣＵＥスイッチ２１ｄ（検聴スイッチ）が設けられている。
【００１７】
各ｃｈストリップ２１のフェーダつまみ２１ｃは、第１端から第２端まで一次元にスライド操作可能であり、且つ、駆動信号に基づいて駆動可能である。本明細書では、可動範囲２１ｅの図面上側端部を上端（第１端）、図面下側端部を下端（第２端）とし、つまみ２１ｃを上端側に移動する操作を上方向の操作、同下端側に移動する操作を下方向の操作とする。
また、つまみ２１ｃを駆動信号に基づいて駆動することで、つまみ２１ｃの位置を自動的に移動したり、或いは、つまみ２１ｃの下向き操作に対する抗力を発生させたりすることができる。
【００１８】
レイヤ選択スイッチ２６〜２８は、それぞれ、１２本のｃｈを１組とするレイヤが割り当てられており、いずれか１つが択一的にオン状態となり、１２本のｃｈストリップ２１の制御対象となる１つのレイヤを選択する。各レイヤ（レイヤ１、レイヤ２、マスタ１）は、それぞれ固有のレイヤ番号ＬＮ（ＬＮ＝１〜３）が付与されており、選択中のレイヤ番号がレジスタに格納される。
【００１９】
「マスタ１」のスイッチ２６の操作に応じて、各ｃｈストリップ２１に対してｃｈ番号「１」〜「１２」の出力ｃｈが１つずつ割り当てられる。また、「レイヤ１」のスイッチ２７の操作に応じて、各ｃｈストリップ２１に対してｃｈ番号「１」〜「１２」の入力ｃｎが１つずつ割り当てられる。また、「レイヤ２」のスイッチ２８の操作に応じて、各ｃｈストリップ２１に対してｃｈ番号「１３」〜「２４」の入力ｃｈが１つずつ割り当てられる。
【００２０】
また、操作パネルにおいて、８個のモニタ用セレクタスイッチ２２は、操作に応じて、操作されたスイッチに対応する各種画面（ミキシング設定画面やメニュー画面）を表示器１６に表示させる。モニタ＆ＣＵＥ遅延調整つまみ２３は、ミキサのメイン出力と、オペレータが検聴しているモニタ信号及びＣＵＥ信号の時間差を吸収するための遅延調整ボリュームである。ヘッドフォン端子２５にはヘッドフォンを接続でき、オペレータはヘッドフォン端子２５から出力されたオーディオ信号をヘッドフォンで聴取できる。ヘッドフォン音量つまみ２４は、ヘッドフォン端子２５から出力されるオーディオ信号の音量レベルを調整する。
【００２１】
また、操作パネルにおいて、カーソル移動キー２９は、表示器１６に表示されるカーソルを上下左右に移動させる。増減キー３０は、表示器１６においてカーソルで選択された数値等を増減する。ジョグダイヤル３１は、回転型セレクタであり、表示器１６においてカーソルで選択された各種パラメータや数値等を選択する。エンターキー３２は、増減キー３０やジョグダイヤル３１により選択された設定値を確定するために用いる。なお、操作パネル上の各種操作子（各ｃｈストリップ２１のフェーダつまみ２１ｃを除く全て）は図１の操作子１８に相当する。
【００２２】
また、１２個のセンドスイッチ３３は、各スイッチ３３に対して１つずつバスが割り当てられ、選択スイッチ（ＳＥＬ）２１ａにより選択された１つのｃｈについて、その選択ｃｈから複数のバスへのセンドオンオフパラメータをバス毎に切り替える。
【００２３】
なお、ミキサ１にはいわゆる「シーン機能」が具備される。シーン機能により、オペレータがシーン番号指定してシーンストア指示したときに、ミキサの現在の動作を制御するパラメータの設定状態（カレントメモリの全ての設定値）を１つのシーンとするシーンデータをフラッシュメモリ１１内のシーンメモリに記録でき、また、オペレータがシーン番号指定してシーンリコール指示したときに、メモリ１１に記録された１つのシーンデータに対応するパラメータの設定状態をカレントメモリに上書きして、該パラメータ設定状態を再現できる。
本実施例において、フェーダ操作子（つまみ２１ｃ）が電動フェーダ１７により構成されているのは、本来の用途としては、シーンリコール時に、シーンリコールされたレベルパラメータに対応する位置にフェーダつまみ２１ｄを移動するためである。
【００２４】
《フェーダＣＵＥモード》
ミキサ１において、オペレータは、フェーダつまみ２１ｃ（電動フェーダ１７）の使用モードとして、通常モード及びフェーダＣＵＥモードのいずれかを設定できる。通常モードの場合、従来と同様に、フェーダつまみ２１ｃの可動範囲２１ｅの下端から上端までの全範囲におけるフェーダつまみ２１ｃの位置に応じて、そのｃｈの信号の音量レベルを制御する。他方、フェーダＣＵＥモードの場合、フェーダつまみ２１ｃを用いて、そのチャンネルのＣＵＥオン・オフを切り替えることができるようになる。
【００２５】
フェーダの使用モードの設定は、例えば、操作パネルに設けられたフェーダＣＵＥモードスイッチ３４や、表示器１６に呼び出したモード設定画面から行うことができる。オペレータにより、通常モード及びフェーダＣＵＥモードの設定操作が行われたとき、ＣＰＵ１０は、操作に応じてフェーダＣＵＥモードＦＣＭの値を設定する。フェーダＣＵＥモードパラメータＦＣＭの値が０のとき、フェーダＣＵＥモードがオフであり、フェーダの使用モードは「通常モード」である。フェーダＣＵＥモードパラメータＦＣＭの値が１のとき、フェーダＣＵＥモードがオンであり、フェーダの使用モードは「フェーダＣＵＥモード」である。
【００２６】
《信号処理構成》
図３は図１のミキサ１において、波形Ｉ／Ｏ１４とＤＳＰ部１５による信号処理構成を等価的に示す機能ブロック図である。アナログ入力部（Ａ入力）４０及びデジタル入力部（Ｄ入力）４１は、波形Ｉ／Ｏ１３のオーディオ信号入力機能（主に、ＡＤ変換、フォーマット変換、複数の入力ポート）に相当する。
【００２７】
入力パッチ４３は、入力パッチのパッチ設定データが示す複数の入力ポートと複数の入力ｃｈの間を間の結線（接続）に従って、各入力ポートから入力されたオーディオ信号を、その入力ポートが結線（接続）されている１又は複数の入力ｃｈに供給する。ＣＰＵ１０が、オペレータによりパッチ設定データの設定操作に応じてカレントメモリのパッチ設定データを設定することで、力パッチ４３に対するパッチ設定が行われる。
【００２８】
入力チャンネル部４４は２４個の入力ｃｈを持つ。各入力ｃｈ４４は、入力パッチ４３により割り当てられた入力ポートから入力されるデジタルオーディオ信号に対して音特性調整や、音量フェーダによるレベル制御等の信号処理を、カレントメモリの対応するパラメータの値に基づき行い、信号処理後のオーディオ信号を、バスセンドオンオフパラメータの設定に従い、後段のＭＩＸバス２４のうちの任意の１又は複数のバス４５に出力する。すなわち、入力ｃｈ４４は、供給されるオーディオ信号のレベルを、レベルパラメータに基づいて制御し、レベルが制御されたオーディオ信号を出力する。また、各入力ｃｈ４４のオーディオ信号は、そのチャンネルのＣＵＥオンオフパラメータがオンのとき、ＣＵＥバス４６にされる。
【００２９】
ＭＩＸバス４５において、１２本の各バス４５は、２４入力チャンネルのうちの任意のチャンネルから選択的に入力された１又は複数のデジタルオーディオ信号をミキシングして、ミキシング結果であるＭＩＸ出力を、後段のＭＩＸ出力チャンネル部４７に設けられた各バスに対応する出力ｃｈに出力する。これにより、最大で１２通りにミキシングされた１２チャンネルのＭＩＸ出力を得ることができる。このＭＩＸバス４５からの出力信号をミキサ１のメイン出力（Ａ出力４９及びＤ出力５０）としてスピーカ等に供給する場合が多い。
【００３０】
出力チャンネル部４７は、１２本の各バス４５に対応する１２本の出力ｃｈを持つ。各出力ｃｈ４７は、対応するバス４５の出力信号（ＭＩＸ出力）に対して、音特性調整や、音量フェーダによるレベル制御等の信号処理を、カレントメモリの対応するパラメータの値に基づいて行い、信号処理後のオーディオ信号を、出力パッチ４８に出力する。すなわち、出力ｃｈ４７は、供給されるオーディオ信号のレベルを、レベルパラメータに基づいて制御し、レベルが制御されたオーディオ信号を出力する。また、各出力ｃｈ４７のオーディオ信号は、そのチャンネルのＣＵＥオンオフパラメータがオンのとき、ＣＵＥバス４６にされる。
【００３１】
出力パッチ４８は、出力パッチのパッチ設定データが示す複数の出力ｃｈと複数の出力ポートの間を間の接続に従って、各出力ｃｈから入力されたオーディオ信号を、その出力ｃｈが結線（接続）されている１又は複数の出力ポートに供給する。ＣＰＵ１０が、オペレータによりパッチ設定データの設定操作に応じてカレントメモリのパッチ設定データを設定することで、出力パッチ４８に対するパッチ設定が行われる。
各出力ｃｈの出力信号は、出力パッチ４８により接続された出力ポート（Ａ出力４９及びＤ出力５０）から、メイン出力して出力される。メイン出力４９，５０は、出力ｃｈ４７から出力された各オーディオ信号（ＭＩＸバス４５から出力された各オーディオ信号）を外部に出力するものである。アナログ出力部（Ａ出力）４９及びデジタル出力部（Ｄ出力）５０は、波形Ｉ／Ｏ１３のオーディオ信号出力機能（主に、ＤＡ変換、フォーマット変換、複数の出力ポート）に相当する。
【００３２】
また、出力パッチ４８は、出力チャンネル部４７の各出力ｃｈを内蔵エフェクタ４２に割り当てることができる。内蔵エフェクタ４２としては、リバーブ、エコーやコーラス等、８個のエフェクトが用意されており、オペレータは、内蔵エフェクタ４２を使って各出力ｃｈの出力信号に対して、所望のエフェクトを付与することができる。内蔵エフェクタ４２の効果付与処理は、信号処理部１５の信号処理により実現される。内蔵エフェクタ４２の出力（エフェクト付与された信号）は入力パッチ４３に供給され、パッチ設定に従い入力ｃｈへ割り当てることができる。
【００３３】
ＣＵＥバス４６には、入力チャンネル部４４及びＭＩＸ出力チャンネル部４７の各ｃｈのうちＣＵＥオンに設定されたｃｈのオーディオ信号が供給される。ＣＵＥバス４６は、ＣＵＥオンに設定されたｃｈから供給されたオーディオ信号を、ＣＵＥ信号（キュー信号）として遅延＆切換部５３へ出力するする。ＣＵＥバス４６に複数ｃｈのオーディオ信号が供給されているときは、ＣＵＥバス４６は複数ｃｈのオーディオ信号を混合し、混合結果をＣＵＥ信号として遅延＆切換部５３へ出力する。遅延＆切換部５３には、ＣＵＥ信号の他に、モニタ用セレクタ５１で選択された１又は複数ｃｈの信号がモニタ用ミキサ部５２を介して、モニタ信号として供給される。
【００３４】
遅延＆切換部５３は、後段のモニタ用アナログ出力部５４へ出力する信号を、モニタ用ミキサ部５２から入力されたモニタ信号、又は、ＣＵＥバス４６から入力されたＣＵＥ信号（キュー信号）のいずれかに切り替える動作を行っている。すなわち、ＣＵＥ信号がないときには、遅延＆切換部５３はモニタ信号を出力している。また、いずれかのｃｈがＣＵＥオンに設定されて、ＣＵＥバス４６からＣＵＥ信号が入力されたとき、遅延＆切換部５３は、モニタ用ミキサ部５２から入力されたモニタ信号をオフ又は減衰して、ＣＵＥ信号（キュー信号）のみを出力する。また、遅延＆切換部５３は、自身の出力信号（モニタ信号又はＣＵＥ信号）を遅延することで、出力信号（モニタ信号又はＣＵＥ信号）とメイン出力（Ａ出力４９及びＤ出力５０）の間の時間差を補正する。操作者用モニタ２０から出力されるようになる。
モニタ用Ａ出力５４は、例えばヘッドフォン端子２５であり、遅延＆切換部５３の出力信号（モニタ信号又はＣＵＥ信号）を出力する。すなわち、モニタ用アナログ出力部５４は、検聴信号として指定されたオーディオ信号を出力する。モニタ用アナログ出力部５４から出力されるオーディオ信号は、メイン出力に係るミキシング処理に影響を与えることなく、メイン出力４９、５０とは別系統の検聴信号として出力されることができる。
【００３５】
図４は１つの入力ｃｈ４４の構成例を示す。入力パッチ４３から入力された信号は、リミッタ、コンプレッサ、イコライザ（ＥＱ）等の特性処理部６０でレベルや周波数特性が調整され、音量フェーダ６１（図１の電動フェーダ１７）に供給されると共に、該音量フェーダ６１及び入力ｃｈスイッチ６３の前段の信号（プリフェーダ信号）がＣＵＥバス用のプリ・ポスト切換スイッチ（ＰＰ）６２の接点ａ、及び、１２本のＭＩＸバス用の１２個のプリ・ポスト切換スイッチ（ＰＰ）６２の接点ａに供給される。
【００３６】
また、音量フェーダ６１によりレベルが制御された信号は、入力ｃｈスイッチ（ＣＨ＿ＯＮ）６３を介して、ＣＵＥバス用のプリ・ポスト切換スイッチ６２の接点ｂ、及び、１２本のＭＩＸバス用の１２個のプリ・ポスト切換スイッチ６２の接点ｂに供給される。入力チャンネルスイッチ（ＣＨ＿ＯＮ）６３は、図２のチャンネルスイッチ２１ｂに相当しており、各入力ｃｈのチャンネルオンパラメータに応じて、信号を導通（ｃｈオン）又は切断（ｃｈオフ）する。
【００３７】
ＣＵＥバス用のプリ・ポスト切換スイッチ６２の可動接点ｃの出力信号は、ＣＵＥスイッチ６４（ＣＵＥ＿ＯＮ）を介してＣＵＥバス４６に供給される。ＣＵＥスイッチ６４は図２のＣＵＥスイッチ２１ｄに相当しており、各入力ｃｈのＣＵＥパラメータに応じて、信号を導通（ＣＵＥオン）又は切断（ＣＵＥオフ）する。
【００３８】
また、ＭＩＸバス用の１２個のプリ・ポスト切換スイッチ６２の可動接点ｃの出力信号は、センドレベル（ＳＮＤ＿Ｌ）６５及びセンドスイッチ（ＳＮＤ＿ＯＮ）６６を介して、それぞれ対応するＭＩＸバス４５に供給される。センドレベル６５は、各入力ｃｈにおいて各バス毎に設定されたセンドレベルパラメータに応じて、入力ｃｈからＭＩＸバス４５へ送出する信号の送出ゲインを各バス毎に制御する。また、センドスイッチ６６は、各ｃｈの各バス毎に設定されたセンドオフパラメータに応じて、入力ｃｈから対応するＭＩＸバス４５への信号の送出を導通（センドオン）又は切断（センドオフ）する。センドスイッチ６６は、図２のセンドスイッチ３３に相当しており、各入力ｃｈの各バスに対するセンドオンオフパラメータに応じて、信号を導通（ＣＵＥオン）又は切断（ＣＵＥオフ）する。
【００３９】
各プリ・ポスト切換スイッチ６２は、各入力ｃｈのプリポストパラメータ（Ｐｒｅ／Ｐｏｓｔ）に応じて接点ａ及び接点ｂを切り替える。プリフェーダ信号は、音量フェーダ６１及び入力ｃｈスイッチ６３の前段の信号である。ポストフェーダ信号は、音量フェーダ６１及び入力ｃｈスイッチ６３の後段の信号である。
【００４０】
入力チャンネル４４のＣＵＥスイッチ６４がオンのとき、プリ・ポスト切換スイッチ６２の設定に応じてプリフェーダ信号又はポストフェーダ信号が、ＣＵＥバス４６に供給される。
また、入力チャンネル４４のセンドスイッチ６６がオンのとき、そのセンドスイッチ６６に対応するプリ・ポスト切換スイッチ６２の設定に応じてプリフェーダ信号又はポストフェーダ信号が、センドレベル６５を介して、当該センドスイッチ６６に対応するＭＩＸバスに供給さえる。
【００４１】
《出力ｃｈ》
図５は、出力ｃｈ４７の構成例を示す。出力チャンネル４７において、１２本のＭＩＸバス４５のいずれかから出力された信号は、コンプレッサ、イコライザ（ＥＱ）等の処理部７０でレベルや周波数特性が調整される。処理部７０から出力される信号は音量フェーダ７１（図１の電動フェーダ１７）に供給されると共に、ＣＵＥ用のプリ・ポスト切換スイッチ７２（ＰＰ）の接点ａに供給される。１チャンネル分の音量フェーダ７１によりレベルが制御された信号は、出力ｃｈスイッチ７４（ＣＨ＿ＯＮ）を介して、出力パッチ４８又はモニタ用セレクタ５１に出力される。
【００４２】
また、１チャンネル分の音量フェーダ７１によりレベルが制御された信号は、出力ｃｈスイッチ７４（ＣＨ＿ＯＮ）を介して、プリ・ポスト切換スイッチ７２の接点ｂにも供給される。プリ・ポスト切換スイッチ（ＰＰ）の可動接点ｃから出力される信号はＣＵＥスイッチ７３（ＣＵＥ＿ＯＮ）を介してＣＵＥバス４６に供給されている。ＣＵＥスイッチ７３は、図２のＣＵＥスイッチ２１ｄに相当しており、各出力ｃｈのＣＵＥパラメータに応じて、信号を導通（ＣＵＥオン）又は切断（ＣＵＥオフ）する。
【００４３】
プリ・ポスト切換スイッチ７２は、各出力ｃｈのプリポストパラメータ（Ｐｒｅ／Ｐｏｓｔ）に応じて接点ａ及び接点ｂを切り替える。出力チャンネル４７のＣＵＥスイッチ７３がオンのとき、プリ・ポスト切換スイッチ７２の設定に応じて「プリフェーダ信号」又は「ポストフェーダ信号」が、ＣＵＥバス４６に供給される。
【００４４】
《ＣＵＥパラメータオン／オフ》
ミキサ１においては、フェーダの使用モードとして「通常モード」及び「フェーダＣＵＥモード」の２つのモードが設けられている。「フェーダＣＵＥモード」が設定されているとき、オペレータは、各入力ｃｈ及び各出力ｃｈのＣＵＥパラメータを、ｃｈストリップ２１の電動フェーダ１７（フェーダつまみ２１ｃ）を用いてｃｈ毎に設定できる。また、各入力ｃｈ及び各出力ｃｈのＣＵＥパラメータは、従来通り、ｃｈストリップ２１のＣＵＥスイッチ２１ｄを用いてｃｈ毎に設定することもできる。
【００４５】
《ＣＵＥスイッチを用いたＣＵＥオン・オフ》
図６は、１２本のｃｈストリップ２１のうち１つのｃｈストリップ（ｉ）が有するＣＵＥスイッチ２１ｄが操作されたときに、ＣＰＵ１０が実行するイベント処理を例示するフローチャートである。操作が検出されたとき、ＣＰＵ１０は当該処理開始に伴い、操作されたＣＵＥスイッチ２１ｄのｃｈストリップ番号（ｉ＝１〜１２）をレジスタに記憶する。
【００４６】
ステップＳ１において、ＣＰＵ１０は、操作されたＣＵＥスイッチ２１ｄに対応するｃｈを特定する情報ＣＨ（ＬＮ，ｉ）を、ＣＵＥ対象ｃｈパラメータｃにセットする。レイヤ番号（ＬＮ＝１〜３）とｃｈストリップ番号（ｉ＝１〜１２）の組み合わせにより、１〜２４、２４本の入力ｃｈ１〜２４及び１２本の出力ｃｈ〜１２のうち１つのｃｈを特定する値ｃ（ｃ＝１〜３６）を得ることができる。例えば、ｃ＝１〜２４が入力ｃｈ１〜２４を表し、ｃ＝２５〜３６が出力ｃｈ〜１２を表す。よって、レジスタに記憶された現在選択中のレイヤ番号ＬＮと、操作されたｃｈストリップ番号（ｉ）の組み合わせにより、今回の操作に応じてＣＵＥ対象ｃｈとなるｃｈ（ｃ）を特定できる。
【００４７】
ステップＳ２において、ＣＵＥ対象ｃｈ（ｃ）のＣＵＥパラメータＣＯＮ（ｃ）の現在値を調べる。ＣＯＮ（ｃ）＝１は当該ｃｈ（ｃ）のＣＵＥオン（ＣＵＥスイッチ６４又は７３の導通）を示す、ＣＯＮ（ｃ）＝０は当該ｃｈ（ｃ）のＣＵＥオフ（ＣＵＥスイッチ６４又は７３の切断）を示す。ＣＯＮ（ｃ）＝０の場合（ステップＳ２のＹＥＳ）、つまり、現在当該ｃｈ（ｃ）がＣＵＥオフの場合、ステップＳ３により当該ｃｈ（ｃ）についてＣＵＥオンに設定するサブルーチンを実行する。他方、ＣＯＮ（ｃ）＝１の場合（ステップＳ２のＮＯ）、つまり、現在当該ｃｈ（ｃ）がＣＵＥオンの場合、ステップＳ４により当該ｃｈ（ｃ）についてＣＵＥオフに設定するサブルーチンを実行する。つまり、ＣＵＥスイッチ２１ｄは操作毎にオンオフ状態が順次切り替わるドグル動作をする。
すなわち、ＣＰＵ１０は、ステップＳ２〜Ｓ４を実行することで、各ＣＵＥ（検聴）スイッチ２１ｄの操作に応じて、当該スイッチ２１ｄに割り当てられたチャンネルｃ（ｃｈ）のオーディオ信号がＣＵＥ信号（検聴信号）として指定されていなければ、当該チャンネルｃ（ｃｈ）のオーディオ信号をＣＵＥ信号（検聴信号）として指定し、指定されていれば、当該チャンネルのオーディオ信号のＣＵＥ信号（検聴信号）としての指定を解除する第３制御手段として機能する。
【００４８】
《フェーダ操作によるＣＵＥオン・オフ》
２本のｃｈストリップ２１のうち１つのｃｈストリップ（ｉ）が有するフェーダつまみ２１ｃ（電動フェーダ１７）が操作されたとき、ＣＰＵ１０は、操作によるフェーダつまみ２１ｃの位置ｐの変化を検出する。図７は、フェーダつまみ２１ｃの位置ｐの変化を検出したときに、ＣＰＵ１０が実行するイベント処理を例示するフローチャートである。フェーダつまみ２１ｃの操作が検出されたとき、ＣＰＵ１０は、当該処理開始に伴い、操作されたフェーダつまみ２１ｃのｃｈストリップ番号（ｉ＝１〜１２）をレジスタに記憶する。
【００４９】
ステップＳ５において、ＣＰＵ１０は、操作されたＣＵＥスイッチ２１ｄに対応するｃｈを特定する情報ＣＨ（ＬＮ，ｉ）を、ＣＵＥ対象ｃｈパラメータｃにセットする。ステップＳ６において、ＣＰＵ１０は、フェーダの使用モードが「通常モード」及び「フェーダＣＵＥモード」のいずれに設定されているかを調べる。
【００５０】
フェーダの使用モードが「通常モード」（ＦＣＭ＝０）の場合（ステップＳ６のＮＯ）、ステップＳ７においてＣＰＵ１０は、従来と同様に、「通常モード」用のレベル設定テーブル（通常カーブ）に基づいて、位置ｐに応じた当該ｃｈ（ｃ）の音量レベルＣ＿ＬＥＶ（ｃ）を設定して、今回のイベント処理を終了する。レベル設定テーブル（通常カーブ）は、フェーダつまみ２１ｃの全可動範囲（下端から上端まで）の各つまみ位置に対応して音量レベル調整値を規定したデータテーブルである。すなわち、通常カーブは、下端に対してゼロレベル（−∞ｄＢ）が割り当てられており、上に向かって音量レベル調整値を漸増し、上端で音量レベル調整値の最大値を出力する。
すなわち、ＣＰＵ１０は、当該ステップＳ７によりフェーダつまみ２１ｃの操作位置ｐに応じて、フェーダつまみ２１ｃが割り当てられたチャンネルｃｈ（ｃ）のレベルパラメータを、該操作位置ｐがフェーダ可動範囲上端（第１端）に近づくほど大きく、また、フェーダ可動範囲下端（第２端）に近づくほど小さくなるよう変更する制御を行う。
【００５１】
フェーダの使用モードが「フェーダＣＵＥモード」（ＦＣＭ＝１）の場合（ステップＳ６のＹＥＳ）、ステップＳ８において、ＣＰＵ１０は今回の操作に応じて検出された現在位置ｐと当該ｃｈ（ｃ）のつまみの前回位置ｐｏ（ｃ）に基づいて、今回の操作に応じた位置変化量を位置変化Δｐに設定し、その後、ｐｏ（ｃ）の値を現在位置ｐにより上書きする。
【００５２】
ステップＳ９において、ＣＰＵ１０は、今回の操作に応じて検出された現在位置ｐが、可動範囲中の第１所定位置Ｔ１より下か、第２所定位置Ｔ２より上か、又は、Ｔ１〜Ｔ２の範囲以内かを判定する。図９（ａ）は所定位置Ｔ１、Ｔ２の設定例を示す。第１所定位置Ｔ１は、可動範囲下端（通常モードではマイナス無限大に対応する位置）近傍の所定位置であって、第２所定位置Ｔ２よりも下側に設定される。第１所定位置Ｔ１は、ＣＵＥオン設定の基準位置である。第２所定位置Ｔ２は、第１所定位置Ｔ１よりもやや上方の所定位置であって、フェーダＣＵＥモードにおける音量レベル制御範囲の下端位置である。また、第２所定位置Ｔ２はＣＵＥオフ設定の基準位置となる。第１所定位置Ｔ１から所定位置Ｔ２の範囲は、後述するフェーダつまみに対する抗力を発生する抗力発生範囲（図においてハッチングで示す）となる。
【００５３】
ＣＰＵ１０は、以下のステップＳ１０〜Ｓ２３において、前記ステップＳ９で判定した現在位置ｐとｃｈ毎のフェーダＣＵＥステートＦＣＳ（ｃ）の値に基づいて、ＣＵＥパラメータのオン・オフの設定、並びに、フェーダつまみ２１ｃに対して与える抗力のオン・オフ切り替える制御を行う。フェーダＣＵＥステートＦＣＳ（ｃ）は、値が「０」のとき当該ｃｈ（ｃ）のＣＵＥパラメータがオフであること、値が「２」のとき当該ｃｈ（ｃ）のＣＵＥパラメータがオンであること、並びに、値が「１」のとき当該ｃｈ（ｃ）のフェーダつまみに対する抗力発生中であることを示す。
【００５４】
図９（ｂ）につまみ位置ｐ及び位置変化の向きに対応するＦＣＳの値の変化を示す。位置ｐが第２所定位置Ｔ２より大きい場合、ＦＣＳは「０」である。また、位置ｐがＴ１〜Ｔ２の範囲以内にあり、且つ、位置変化方向（つまみ操作方向）が下方向の場合、ＦＣＳ（ｃ）は「１」となる。位置ｐがＴ１以下の場合ＦＣＳ（ｃ）の値は「２」である。また、位置ｐがＴ１〜Ｔ２の範囲以内であっても、位置変化方向（つまみ操作方向）が上方向の場合はＦＣＳ（ｃ）は「２」となる。すなわち、フェーダつまみ下方向の操作については、Ｔ２を境界にＦＣＳが０から１に変化し、Ｔ１を境界に１から２に変化するのに対して、フェーダの上向き操作では、位置ｐがＴ２以下の範囲にある間はＦＣＳは２であり、Ｔ２を境界に２から０に変化する。
【００５５】
現在位置ｐが第１所定位置Ｔ１より下の場合（ステップＳ９の「ｐ＜Ｔ１」）、ステップＳ１０において、ＣＰＵ１０は、ｃｈストリップ（ｉ）のフェーダつまみ２１ｃに対する抗力をゼロにする。ステップＳ１１において、ＣＰＵ１０は、ＦＣＳ（ｃ）の現在値が「１」か否かを調べて、ＦＣＳ（ｃ）の現在値が「１」の場合（ステップＳ１１のＹＥＳ）、ステップＳ１２により当該ｃｈ（ｃ）についてＣＵＥオンに設定するサブルーチンを実行する。そして、ステップＳ１３において、ＣＰＵ１０は、ＦＣＳ（ｃ）に「２」をセットして、今回のイベント処理を終了する。
他方、ＦＣＳ（ｃ）の現在値が「１」以外の場合（ステップＳ１１のＮＯ）、ＣＵＥオン設定サブルーチンを実行せず、ＦＣＳ（ｃ）に「２」をセットして（ステップＳ１３）、今回のイベント処理を終了する。ステップＳ１１の判断によりＦＣＳ（ｃ）の現在値が「１」の場合にのみステップＳ１２のＣＵＥオン設定サブルーチンを実行することで、抗力発生中のフェーダつまみ２１ｃをその抗力に対抗して下向きに操作したときにのみ、ＣＵＥオン設定が行われることになる。すなわち、ＣＰＵ１０は、フェーダつまみ２１ｃが所定範囲（Ｔ２以下Ｔ１以上の範囲）を越えて下向きに操作（第２端に向けて操作）されたとき、ステップＳ１２を実行することで、当該フェーダつまみ２１ｃに割り当てられたチャンネルｃ（ｃｈ）のオーディオ信号をＣＵＥ信号（検聴信号として指定する第１制御手段として機能する。
【００５６】
現在位置ｐが第１所定位置Ｔ１以上第２所定位置Ｔ２以下の場合（ステップＳ９の「Ｔ１≦ｐ≦Ｔ２」）、ステップＳ１４において、ＣＰＵ１０は、今回の位置変化量Δｐが正の値か負の値かを調べることで、今回のフェーダつまみ２１ｃに対する操作方向が上向きか下向きかを判断する。
【００５７】
操作方向が下向き（Δｐ＝負）の場合（ステップＳ１４の「負」）、ＣＰＵ１０は、ステップＳ１５において、ｃｈストリップ（ｉ）のフェーダつまみ２１ｃに対して所定の駆動制御信号を出力して、つまみ２１ｃを駆動することで、当該フェーダつまみ２１ｃの下向き操作に対する抗力を発生する。抗力は、つまみ２１ｃの下方移動に対して逆向き（上向き）に働く力であり、例えば、オペレータによる下向き操作の抵抗となる（つまみ２１ｃを上方向に自動移動させない程度の）力とする。当該ステップＳ１５により、フェーダ２１ｃが下端（第２端）の近傍に設けられた所定範囲（Ｔ１以上Ｔ２以下の範囲）において下向きに操作（第２端に向けて操作）されたとき、ＣＰＵ１０は駆動信号によりフェーダ操作子を駆動することにより、該操作に対する抗力を発生する抗力発生手段として機能する。当該ステップＳ１５で抗力を発生することで、フェーダＣＵＥモードにおける音量レベル制御範囲の下端位置（第２所定位置Ｔ２）をオペレータに認識させることができる。ステップＳ１６において、ＣＰＵ１０は、ＦＣＳ（ｃ）に「１」をセットして、今回のイベント処理を終了する。
【００５８】
他方、操作方向が上向き（Δｐ＝正）の場合（ステップＳ１４の「正」）、ＣＰＵ１０は、ｃｈストリップ（ｉ）のフェーダつまみ２１ｃに対する抗力をゼロにして（ステップＳ１７）、且つ、ＦＣＳ（ｃ）に「２」をセットして（ステップＳ１８）、今回のイベント処理を終了する。
【００５９】
現在位置ｐが第２所定位置Ｔ２より上の場合（ステップＳ９の「Ｔ２＜ｐ」）、ＣＰＵ１０は、ステップＳ１９においてｃｈストリップ（ｉ）のフェーダつまみ２１ｃに対する抗力をゼロにして、ステップＳ２０において、「フェーダＣＵＥモード」用のレベル設定テーブル（ＦＣ用カーブ）に基づいて、位置ｐに応じた当該ｃｈ（ｃ）の音量レベルＣ＿ＬＥＶ（ｃ）を設定する。
ここで、ＦＣ用カーブは、第２所定位置Ｔ２から上端までの各つまみ位置に対応して、音量レベル調整値を規定したデータテーブルである。すなわち、ＦＣ用カーブは、Ｔ２に対してゼロレベル（−∞ｄＢ）が割り当てられており、上に向かって音量レベル調整値を漸増し、上端で音量レベル調整値の最大値を出力する。これにより、オペレータは、第２所定位置Ｔ２から上端までのフェーダつまみ２１ｃの操作位置に応じて、そのｃｈ（ｃ）の音量レベルを制御できる。
従って、フェーダつまみ２１ｃの位置ｐがＴ２よりも上の音量レベル制御範囲にあるとき、ＣＰＵ１０は、当該ステップＳ２０により、位置ｐに応じて、つまみ２１ｃが割り当てられたｃｈ（ｃ）のレベルパラメータを、該位置ｐが上端（第１端）に近づくほど大きく、また、Ｔ２に近づくほど小さくなるよう変更する。他方、フェーダつまみ２１ｃの位置が、Ｔ２以下（Ｔ２から下端まで）の範囲では、ＣＰＵ１０はレベルパラメータの値をゼロレベル（−∞ｄＢ）に保持する。
【００６０】
ステップイＳ２１において、ＣＰＵ１０は、ＦＣＳ（ｃ）の現在値が「２」か否かを調べて、ＦＣＳ（ｃ）の現在値が「２」の場合（ステップＳ２１のＹＥＳ）、ステップＳ２２により当該ｃｈ（ｃ）についてＣＵＥオフに設定するサブルーチンを実行する。そして、ステップＳ２３において、ＣＰＵ１０は、ＦＣＳ（ｃ）に「０」をセットして、今回のイベント処理を終了する。
他方、ＦＣＳ（ｃ）の現在値が「２」以外の場合、すなわちＦＣＳ（ｃ）が「１」又は「０」の場合は（ステップＳ２１のＮＯ）、当該ｃｈ（ｃ）はＣＵＥオンではないので、ＣＵＥオフ設定サブルーチンを実行せず、ステップＳ２３においてＦＣＳ（ｃ）に「０」をセットして（ステップＳ２３）、今回のイベント処理を終了する。
すなわち、フェーダつまみ２１ｃが、所定範囲（Ｔ２以下Ｔ以上）を越えて上向き操作（第１端に向けて操作）されたとき、ステップＳ２２を実行することにより、ＣＰＵ１０は、当該つまみ２１ｃに割り当てられたチャンネルｃ（ｃｈ）のオーディオ信号のＣＵＥ信号（検聴信号）としての指定を解除する第２制御手段として機能する。
【００６１】
ここで、フェーダつまみ２１ｃの操作によるＣＵＥオン・オフ切り替えと抗力の発生についてまとめる。
フェーダつまみ２１ｃの位置ｐが第２所定位置Ｔ２以下に下げる操作が行われたとき、つまみ２１ｃに対する抗力が発生する（ステップＳ１５）。これにより、音量レベル制御範囲の下端Ｔ２を認識できるので、例えば、オペレータがＣＵＥオンを意図していない場合、この時点で下方操作を止めればよい。
オペレータは抗力発生中のフェーダつまみ２１ｃ（ＦＣＳ＝１の状態）に対して下向きに力をかけて第１所定位置Ｔ１より下へ押し下げることで、そのｃｈ（ｃ）にＣＵＥオンを設定できる。抗力発生中のフェーダについて、その抗力に対抗して押し下げる操作を行ったときに、ＣＵＥオンが設定される構成としたので、フェーダを用いたＣＵＥオン設定操作の誤操作（オペレータが意図しないＣＵＥオン）を効果的に防ぐことができる。また、つまみ位置ｐをＴ１よりも下げたとき、抗力がゼロになるので（ステップＳ１０）、オペレータは、抗力の変化（消滅）により、つまみ位置ｐがＣＵＥオン設定範囲（Ｔ１より下）に移動したことを認識できる。
フェーダつまみ２１ｃ操作によりＣＵＥオンした後、フェーダつまみ２１ｃを上向きに操作してつまみ位置ｐを第２所定位置Ｔ２よりも上に戻すことで、当該ｃｈ（ｃ）のＣＵＥをオフして（ステップＳ２２）、そのｃｈの信号についてフェーダつまみ２１ｃの位置に応じた音量レベル制御を開始できる。
【００６２】
《ＣＵＥオン処理》
図１０は、前記ステップＳ３及び前記ステップＳ１２によるＣＵＥオン処理を説明するフローチャートである。ステップＳ２４において、ＣＰＵ１０は、現在のＣＵＥステータスＣＳを確認することによりＣＵＥ対象ｃｈ（ｃ）が属するグループについてＣＵＥオン中か否かを調べる。グループは、後述するミックスＣＵＥモードにおけるグループであり、グループには、入力ｃｈのグループ（入力ｃｈが登録されるグループ）と、出力ｃｈのグループ（出力ｃｈが登録されるグループ）がある。ＣＵＥステータスＣＳの値が０のときいずれのグループもＣＵＥがオフである。ＣＵＥステータスＣＳの値が１のとき入力ｃｈのグループにＣＵＥオン中のｃｈがある。ＣＵＥステータスＣＳの値が２のとき出力ｃｈのグループにＣＵＥオン中のｃｈがある。
【００６３】
ＣＵＥ対象ｃｈ（ｃ）が属するグループがＣＵＥ中の場合（ステップＳ２４のＹＥＳ）、ステップＳ２５において、ＣＵＥモードパラメータＭＣを調べる。ＣＵＥモードＭＣが「１」のとき「単一ＣＵＥモード」であり、ＣＵＥモードＭＣが「２」のとき「ミックスＣＵＥモード」である。「単一ＣＵＥモード」の場合、ＣＵＥスイッチ２１ｄの操作に応じて、操作されたスイッチ２１ｄに対応する１つのｃｈのみ排他的にＣＵＥオンとなる。ミックスＣＵＥモードでは、同じグループに属する複数のｃｈを同時にＣＵＥオンに設定し、それら複数のｃｈの信号がＣＵＥバス４６において混合されてＣＵＥ信号として出力される。グループには、入力ｃｈのグループと出力ｃｈのグループとがある。
【００６４】
ＣＵＥモードＭＣが「単一ＣＵＥモード」の場合（ステップイＳ２５のＹＥＳ）、ステップＳ２６において、ＣＰＵ１０は、当該ｃｈ（ｃ）のＣＵＥパラメータＣＯＮ（ｃ）に、ＣＵＥオンを示す値「１」をセットし、且つ、他の全てのｃｈについてＣＵＥパラメータＣＯＮにＣＵＥオフを示す値「０」をセットする。これにより、「単一ＣＵＥモード」の場合には、操作されたＣＵＥスイッチ２１ｄに対応する１つのｃｈのみ排他的にＣＵＥオンとし、他のｃｈの既存のＣＵＥオンは全てＣＵＥオフにする。
【００６５】
ＣＵＥモードＭＣが「ミックスＣＵＥモード」の場合（ステップイＳ２５のＮＯ）、ステップＳ２７において、ＣＰＵ１０は、当該ｃｈ（ｃ）のＣＵＥパラメータＣＯＮ（ｃ）にＣＵＥオンを示す値「１」をセットする。先行するステップＳ２４の判断により、当該ｃｈ（ｃ）が属するグループにＣＵＥオンがある場合、ステップＳ２７を行うので、当該ステップＳ２７により、既存のＣＵＥオンのｃｈに加えて、今回ＣＵＥスイッチ２１ｄが操作されたｃｈもＣＵＥオンに設定される。
【００６６】
また、ＣＵＥ対象ｃｈ（ｃ）が属するグループがＣＵＥ中の場合（ステップＳ２４のＮＯ）、ステップＳ２８において、全てのｃｈについてＣＵＥパラメータに「０」をセットする。既存の他のグループのＣＵＥオンを全てＣＵＥオフに設定する。この処理は、単一ＣＵＥモードについては、１つのｃｈ（ｃ）のみ排他的にＣＵＥオンとするためである。また、ミックスＣＵＥモードについては、異なるグループ間でミックスＣＵＥ機能させないために、既存の他のグループのＣＵＥオンを全てクリアする。
【００６７】
ステップＳ２９において、ＣＰＵ１０は、遅延＆切換部５３を制御して、モニタ用アナログ出力部５４（図１の操作者用モニタ２０）の出力信号を、モニタ信号からＣＵＥ信号に切り替える。これにより、ＣＵＥスイッチ２１ｄ又はフェーダつまみ２１ｃを用いたＣＵＥオンに応じて、ｃｈ（ｃ）のオーディオ信号が、メイン出力４９、５０とは別系統の検聴信号として出力される。
ステップＳ３０において、ＣＰＵ１０は、ＣＵＥステータスＣＳに当該ｃｈ（ｃｈ）が属するグループに応じた値（入力ｃｈの場合「１」、出力ｃｈの場合「２」）を設定する。そして、前述したステップＳ２５〜Ｓ２７により、ＣＰＵ１０は当該ｃｈ（ｃ）のＣＵＥパラメータをオンに設定する。
【００６８】
ステップＳ２６及びステップＳ２７により、カレントメモリの当該ｃｈ（ｃ）のＣＵＥパラメータがオンに設定される。これに応じて、ＤＳＰ部１５の信号処理中の当該ｃｈ（ｃ）のＣＵＥスイッチ６４，７２（ＣＵＥ＿ＯＮ）は信号を導通する状態になる。更に、ＤＳＰ部１５の信号処理中の当該ｃｈ（ｃ）のプリ・ポスト切換スイッチ６２、７２（ＰＰ）は、フェーダの使用モードが通常モード（ＦＣＭ＝０）の場合、当該ｃｈ（ｃ）についてカレントメモリに設定されたプリポストパラメータに従い、接点ａ及び接点ｂを切り替えて、接点に応じた「プリフェーダ信号」又は「ポストフェーダ信号」がＣＵＥバス４６に供給される。従って、オペレータは、操作者用モニタ２０から、当該ｃｈ（ｃ）のプリフェーダ信号又はポストフェーダ信号、或るいは、当該ｃｈ（ｃ）を含むグループの各ｃｈのプリフェーダ信号又はポストフェーダ信号の混合信号を検聴できる。
【００６９】
他方、フェーダの使用モードがフェーダＣＵＥモード（ＦＣＭ＝１）の場合、当該ｃｈ（ｃ）についてカレントメモリに設定されたプリポストパラメータの設定に従わずに、当該ｃｈ（ｃ）のプリ・ポスト切換スイッチ６２、７２（ＰＰ）は強制的に「Ｐｒｅ」すなわち接点ａに設定され、「プリフェーダ信号」をＣＵＥバス４６に供給する。従って、フェーダＣＵＥモードのとき、オペレータは、操作者用モニタ２０から、当該ｃｈ（ｃ）のプリフェーダ信号、或るいは、当該ｃｈ（ｃ）を含むグループの各ｃｈのプリフェーダ信号の混合信号を検聴できる。フェーダ１７を用いたＣＵＥ機能においては、フェーダ位置を下端近傍（通常モードでの−∞ｄＢの位置）で、信号をＣＵＥした後、フェーダつまみ上向き操作により当該信号の音量レベルを上げる作業形態となるため、ＣＵＥ信号が強制的にプリフェーダ信号とすることは、この作業形態に適した設計である。
【００７０】
《ＣＵＥオフ処理》
図１１は、前記ステップＳ４及び前記ステップＳ２２によるＣＵＥオフ処理を説明するフローチャートである。ステップＳ３１において、ＣＰＵ１０は、当該ｃｈ（ｃ）のＣＵＥパラメータＣＯＮ（ｃ）にＣＵＥオフを示す値「１」をセットする。ＣＵＥモードＭＣが「単一モード」の場合（ステップＳ３２のＹＥＳ）、ステップＳ３３において、ＣＰＵ１０は、遅延＆切換部５３を制御して、遅延＆切換部５３の出力信号をモニタ信号に戻す。これにより、モニタ用アナログ出力部５４の出力信号はモニタ信号に切り替わる。ステップＳ３４において、ＣＰＵ１０は、ＣＵＥステータスＣＳにＣＵＥオフを示す値「０」をセットして、処理を終了する。
【００７１】
また、ＣＵＥモードＭＣが「ミックスモード」の場合（ステップＳ３２のＮＯ）、ＣＰＵ１０は、ステップＳ３５において、他の全てのｃｈのＣＵＥパラメータＣＯＮが「０」であるか、すなわち、他にＣＵＥオン中のｃｈが残っているか否かを調べる。ＣＵＥオン中のｃｈが１つもない場合（ステップＳ３５のＹＥＳ）、ＣＰＵ１０は、前記ステップＳ３３及びＳ３４を実行して、処理を終了する。また、他にＣＵＥオン中のｃｈが残っている場合（ステップＳ３５のＮＯ）、ＣＰＵ１０は今回の処理をそのまま終了する。
【００７２】
前記ステップＳ３１により、カレントメモリの当該ｃｈ（ｃ）のＣＵＥパラメータがオフに設定される。これに応じて、ＤＳＰ部１５の信号処理中の当該ｃｈ（ｃ）のＣＵＥスイッチ６４，７２（ＣＵＥ＿ＯＮ）は信号を切断する。よって、当該ｃｈ（ｃ）からＣＵＥバス４６への信号の供給がなくなる。
【００７３】
以上説明した本発明に係るデジタルオーディオミキサによれば、オペレータが所望のｃｈの電動フェーダ１７（フェーダつまみ２１ｃ）を抗力に対抗して押し下げる操作を行い、当該押し下げる操作の後、当該フェーダつまみ２１ｃを上向きに操作するというフェーダつまみの上下操作だけで、そのｃｈの信号をＣＵＥ信号として検聴してからＣＵＥを解除し、同信号のメイン出力の音量レベルを調整できるようになる。従って、或るｃｈのＣＵＥ信号を検聴した後に、そのｃｈの信号のメイン出力に係る音量レベル調整を作業開始するという一連の操作を、１つのフェーダ操作子の上下操作だけで手際よく効率的に行うことができるようになるという優れた効果を奏する。
【００７４】
《フェーダＣＵＥモード抗力の変更例》
電動フェーダ１７（フェーダつまみ２１ｃ）に対して発生する抗力の変更例として、つまみ位置ｐがＴ２以下のとき（すなわちＦＣＳ＝１又は２のとき）、常に、フェーダつまみ２１ｃに対して、つまみ位置をＴ２まで戻す力を加えるようにしてもよい。この構成によれば、オペレータが抗力に対抗してフェーダつまみ２１ｃに対して下方向の力をかけている間だけ、そのｃｈ（ｃ）をＣＵＥオンに設定でき、フェーダつまみ２１ｃに力をかけなければ、フェーダつまみ２１ｃの位置はＴ２まで自動復帰する。このような構成においても、位置ｐがＴ１以下に下がったとき、フェーダつまみ２１ｃをＴ２まで戻す力を少し弱くすると良い。これにより、オペレータは、つまみ２１ｃの位置ｐがＣＵＥオン設定範囲（第１所定位置Ｔ１より下の範囲）に入ったことを、指にかかる力の減少として認識できる。
【００７５】
なお、上記の説明では、入力チャンネル、ＭＩＸバス４５、出力チャンネル、ＣＵＥバス４６ともモノラル構成で説明していたが、それぞれステレオ構成にすることができる。その場合には、ステレオの信号をモニタやＣＵＥできるよう、モニタ用セレクタ５１，モニタ用ミキサ部５２，遅延＆切換部５３もステレオ構成とする。さらに、５．１ｃｈ、７．１ｃｈ等のそれ以上の構成も同様にして実現することができる。このように、本発明のデジタルオーディオミキサにおいてはステレオ構成や多チャンネルの構成とすることができる。
なお、上記の説明では、ＣＵＥオンがあるときに、遅延＆切替部５３の出力をＣＵＥ信号に切り替えて、ＣＵＥバスの信号をモニタ用Ａ出力５４から出力する構成としたが、ＣＵＥ専用出力部を設けてＣＵＥバスの出力信号が常時そこへ出力されるよう構成してもよい。
【符号の説明】
【００７６】
１  デジタルミキサ、１０  ＣＰＵ、１１  フラッシュメモリ、１２  ＲＡＭ、１３  その他Ｉ／Ｏ、１４  波形Ｉ／Ｏ、１５  信号処理部、１６  表示器、１７  電動フェーダ、１８  操作子、１９  バス、２０  操作者用モニタ、２１  チャンネルストリップ、２１ａ  選択スイッチ、２１ｂ  チャンネルスイッチ、２１ｃ  フェーダつまみ、２１ｄ  ＣＵＥスイッチ、２２  モニタ用セレクタスイッチ、２３  モニタ＆ＣＵＥ遅延調整つまみ、２４  ヘッドフォン音量つまみ、２５  ヘッドフォン端子、２６〜２８  レイヤ選択スイッチ、２９  カーソル移動キー、３０  増減キー、３１  ジョグダイヤル、３２エンターキー、３３  センドスイッチ、３４  ＦＣＭモードスイッチ、４０  アナログ入力部、４１  デジタル入力部、４２  内蔵エフェクタ、４３  入力パッチ、４４  入力チャンネル部、４５  ＭＩＸバス、４６  ＣＵＥバス、４７  出力チャンネル部、４８出力パッチ、４９  アナログ出力部、５０  デジタル出力部、５１  モニタ用セレクタ、５２  モニタ用ミキサ部、５３  遅延＆切換部、５４  モニタ用アナログ出力部、６０  処理部、６１  音量フェーダ、６２  プリ・ポスト切換スイッチ、６３  入力ｃｈスイッチ、６４  ＣＵＥスイッチ、６５  センドレベル、６６  センドスイッチ、７０  処理部、７１  音量フェーダ、７２  プリ・ポスト切換スイッチ、７３  ＣＵＥスイッチ、７４  出力ｃｈスイッチ
【図１】
2011199684.tif 000003
【図２】
2011199684.tif 000004
【図３】
2011199684.tif 000005
【図４】
2011199684.tif 000006
【図５】
2011199684.tif 000007
【図６】
2011199684.tif 000008
【図７】
2011199684.tif 000009
【図８】
2011199684.tif 000010
【図９】
2011199684.tif 000011
【図１０】
2011199684.tif 000012